(57)【特許請求の範囲】
【請求項１】
前腹部と後背部との間の股部両側にレッグ開口部が形成されてなる外装シートと、この外装シートの肌面側に接合され、股部分が狭幅で、前腹部分と後背部分の少なくとも一方が広幅に形成された吸収性本体と、自由端部に前後方向に延びる弾性部材が伸長状態で接合された左右の立ち上がりフラップとが設けられて、この各立ち上がりフラップの基端部は、上記吸収性本体の股部分の両側に位置する外装シートの肌面側にそれぞれ接合されて、この吸収性本体の前腹部分と後背部分とに位置する各立ち上がりフラップの前端部分と後端部分は、この吸収体本体の広幅の前腹部分および／または後背部分の裏面側に伏せて潜り込ませた状態で外装シートの肌面側に接合されていることを特徴とする吸収性物品。
【請求項２】
上記外装シートは、通気・撥水性を有する不織布シートで構成されている請求項１記載の吸収性物品。
【発明の詳細な説明】
【０００１】
【発明の属する技術分野】
本発明は、吸収性物品に関する。
【０００２】
【従来の技術】
従来、吸収性物品、例えば使い捨ておむつとしては、外装シートの肌面側に吸収性本体が取付けられ、この吸収性本体の左右部分に立ち上がりフラップがそれぞれ接合されたものが提案されている（特開２０００−２５４１６９号公報参照）。
【０００３】
上記各立ち上がりフラップの前端部分と後端部分とは、その中間部分を立ち上がらせるために、内側若しくは外側向きに倒した状態で吸収性本体の上面に接合するようになっている。
【０００４】
【発明が解決しようとする課題】
しかしながら、各立ち上がりフラップの前端部分と後端部分とを倒した状態で吸収性本体の上面に接合することから、吸収性本体の前腹部分と後背部分との両側には立ち上がりフラップが全く無くなって、この部分から排尿等が横漏れしやすくなり、しかも吸収性本体の前腹部分と後背部分の表面側は、倒した状態の撥水性の立ち上がりフラップで覆われて排尿等が吸収されにくいので、排尿等がより横漏れしやすくなるという問題があった。
【０００５】
本発明は、上記問題を解決するためになされたもので、特に吸収性本体の前腹部分と後背部分とからの排尿等の横漏れを有効に防止できる吸収性物品を提供することを目的とするものである。
【０００６】
【課題を解決するための手段】
上記課題を解決するために、本発明は、前腹部と後背部との間の股部両側にレッグ開口部が形成されてなる外装シートと、この外装シートの肌面側に接合され、股部分が狭幅で、前腹部分と後背部分の少なくとも一方が広幅に形成された吸収性本体と、自由端部に前後方向に延びる弾性部材が伸長状態で接合された左右の立ち上がりフラップとが設けられて、この各立ち上がりフラップの基端部は、上記吸収性本体の股部分の両側に位置する外装シートの肌面側にそれぞれ接合されて、この吸収性本体の前腹部分と後背部分とに位置する各立ち上がりフラップの前端部分と後端部分は、この吸収体本体の広幅の前腹部分および／または後背部分の裏面側に伏せて潜り込ませた状態で外装シートの肌面側に接合されていることを特徴とする吸収性物品を提供するものである。
【０００７】
本発明によれば、吸収性本体の狭幅の股部分の両側には立ち上がりフラップが有るから、この股部分からの横漏れが防止できるとともに、吸収性本体の広幅の前腹部分と後背部分の少なくとも一方には立ち上がりフラップが全く無いものの、この立ち上がりフラップの前端部分および／または後端部分は前腹部分と後背部分の少なくとも一方の裏面側に伏せて潜り込ませた状態にあって、前腹部分と後背部分の少なくとも一方の表面側は撥水性の立ち上がりフラップで覆われていないので、吸収性能が充分に維持できて横漏れを有効に防止できるようになる。
【０００８】
請求項２のように、上記外装シートは、通気・撥水性を有する不織布シートで構成されていると、漏れを防止しつつ蒸れ感が減少するようになる。
【０００９】
【発明の実施の形態】
以下、本発明の実施例の形態を図面を参照して詳細に説明する。
【００１０】
図１および図４に示すように、吸収性物品である使い捨ておむつ１は、基本的には、外装シート２と吸収性本体３と左右一対の立ち上がりフラップ４とで構成されている。
【００１１】
上記外装シート２は、使い捨ておむつの外形状に形成されていて、前腹部Ｐと後背部Ｑとの間の股部Ｒの両側にはレッグ開口部Ｓが形成されている。
【００１２】
この外装シート２は、耐水圧が高く、横方向の強度の高い通気・撥水性を有する不織布シートが好ましい。また、横方向の引っ張り強度が３０Ｎ／５ｃｍ以上で、ＪＩＳ−Ｌ−１０９２の耐水度が３．０〜１００．０ｃｍ、ＪＩＳ−Ｚ−０２０８の透湿度が３０００ｇ／ｍ2・２４ｈ以上のものであることが好ましい。
【００１３】
上記耐水度は、外装シート２から漏れ出した排尿等が着用者の衣料、寝具等に至らないようにすることが望まれるので、３．０ｃｍ未満では好ましくない。したがって、透湿度が上記範囲内に入り、かつ耐水度も保持できる強度のある不織布が最適である。
【００１４】
このように、外装シート２が通気・撥水性を有する不織布シートで構成されていると、漏れを防止しつつ蒸れ感が減少するようになる。
【００１５】
これらを満足する不織布としては、ポリエステル繊維のスパンボンド不織布、目付の厚いスパンボンド・メルトブローン・スパンボンド（ＳＭＳ）不織布などが好適である。スパンボンド不織布では、耐水度を高めるために、必要部分を部分的に撥水処理することが好ましい。ＳＭＳ不織布では、メルトブローン不織布素材として、ポリプロピレンのような疎水性の高い素材を複合化するような場合には、耐水度を高めるための撥水処理は特に必要としないので、より好ましい。
【００１６】
上記外装シート２は、必ずしも１枚の不織布シートである必要はなく、複数枚からなっていてもよい。外装シート２を複数枚構成で用いる場合、外面側シートを撥水性の合成樹脂繊維製不織布または不透液性の合成樹脂製フィルム、あるいはこれらの併用体で成形し、肌面側シートを親水性の合成樹脂繊維製不織布または透液性の合成樹脂製フィルムで成形し、この両者を接合した積層シートとして用いることができる。
【００１７】
なお、上記実施形態例は、排出された尿等がおむつから漏れ出るのを、外装シート２を少なくとも撥水性とすることによっておむつ外に出ることを阻止する態様として説明したが、吸水性本体を、その裏面側に尿等を阻止できる不透液性の合成樹脂製フィルムまたは撥水性不織布を配置した構成とすれば、外装シート２を不透液性の合成樹脂製フィルムを採用することは必ずしも必要ではなくなる。
【００１８】
上記外装シート２の前腹部Ｐにはフロンタルテープ５が取付けられると共に、後背部Ｑの両側には、図２に示すように、使用時にフロンタルテープ５に貼付けて、外装シート２を立体的に組み立てるためのファスニングテープ６がそれぞれ取付けられている。なお、フロンタルテープ５とファスニングテープ６は、着脱可能な機械式ファスナーであっても良い。
【００１９】
この外装シート２の前後端部にはウエストバンド７がそれぞれ取付けられ、このウエストバンド７には、ウエスト部の締め付けを行う弾性部材７ａが外装シート２の横幅方向に伸長状態で接合されている。
【００２０】
上記吸収性本体３は、図３にも示すように、外装シート２の前後方向に延在するトップシート３ａとバックシート３ｂと吸収性コア３ｃとで構成されて、トップシート３ａは、透水性の不織布や穴あきフィルムなどが用いられ、バックシート３ｂは、不透水性のフィルム、通気性を有する不透水性のフィルムなどが用いられる。
【００２１】
上記吸収性コア３ｃは、綿状パルプ、高分子吸収材、ティッシュペーパー、透水性不織布、ホットメルト接着剤、熱融着繊維等により、股部分３ｄが狭幅Ｗ１で、前腹部分３ｅと後背部分３ｆとが広幅Ｗ２な偏平状砂時計型に成形されている。
【００２２】
この吸収性コア３ｃは、トップシート３ａとバックシート３ｂとの間に挟み込んだ状態で、トップシート３ａとバックシート３ｂとを接合することにより吸収性本体３が完成する。
【００２３】
そして、吸収性本体３は、外装シート２の横幅方向のほぼ中央部で前後方向に延在するように配置して、バックシート３ｂが外装シート２の肌面側に接合されるようになる。
【００２４】
上記立ち上がりフラップ４は、吸収性本体３に吸収された排尿等をそこで遮断する必要があり、かつおむつ着用者のレッグ部に常時密着状態であることから、その素材として不織布を用い、通気性ではあるが撥水性として尿等を遮断できるように構成することが好ましく、遮断壁としての適度な硬さとレッグ部への硬すぎない適度な柔らかさが必要であり、ＪＩＳ−Ｐ８１４３でのクラーク式剛軟度は、その臨界長さが１０〜８０ｍｍとなるようなものが好ましい。
【００２５】
具体的には、ポリプロピレン単独繊維、またはポリプロピレンを芯、ポリエチレンを鞘成分とする複合繊維からなるスパンボンド不織布、スパンボンド・メルトブローン・スパンボンド（ＳＭＳ）不織布などが使用される。ポリプロピレンは疎水性の高い素材であり、その繊維からなるメルトブローン不織布を複合状態で併用する場合には、メルトブローン不織布部分での撥水性、不透液性の遮断壁となるが、疎水性素材からなる通常の不織布を用いる場合には、その一方の面側、つまり吸収性本体３と対面する内面側は、少なくとも撥水剤処理をし、通気・撥水性とすることが好ましい。
【００２６】
また、立ち上がりフラップ４の他方の面側は、おむつ着用者のレッグ部と常時密着状態となるので、むしろ吸収性素材面となっている方が好ましく、その意味で、この面側での撥水剤処理は必須ではない。
【００２７】
上記左右の立ち上がりフラップ４の自由端部４ｂには、前後方向に延びる弾性部材８が伸長状態で接合されている。この弾性部材８は、ポリウレタン糸、ポリウレタンフィルム、天然ゴム、発泡ウレタンなどが利用でき、１本使用に限らず複数本使用であっても良い。
【００２８】
上記左右の立ち上がりフラップ４の基端部４ａは、上記吸収性本体３の狭幅の股部分３ｄの両側に位置する外装シート２の肌面側にそれぞれ接合されるとともに、この吸収性本体３の前腹部分３ｅと後背部分３ｆとに位置する各立ち上がりフラップの前端部分４ｃと後端部分４ｄは、図３（ｂ）に示すように、前腹部分３ｅと後背部分３ｆの裏面側にそれぞれ伏せて潜り込ませた状態で外装シート２の肌面側に接合されている。
【００２９】
したがって、吸収性本体３の股部分３ｄの両側でのみ立ち上がりフラップ４が弾性部材８の収縮力により立ち上がって立体ギャザーが自然に形成されるようになる（図３（ａ）参照）。
【００３０】
上記のように使い捨ておむつ１を構成すれば、吸収性本体３の狭幅Ｗ１の股部分３ｄの両側には立ち上がりフラップ４が有るから、この股部分３ｄからの横漏れが防止できるようになる。
【００３１】
また、吸収性本体３の広幅の前腹部分３ｅと後背部分３ｆの両側には立ち上がりフラップ４が全く無いものの、この立ち上がりフラップ４の前端部分４ｃと後端部分４ｄは前腹部分３ｅと後背部分３ｆの裏面側に伏せて潜り込ませた状態にあって、前腹部分３ｅと後背部分３ｆの表面側は、従来のように撥水性の立ち上がりフラップ４で覆われておらず、吸収性本体３にすぐに吸収されることとなるので、吸収性能が充分に維持できて横漏れを有効に防止できるようになる。
【００３２】
上記実施形態における吸収性本体３は、前腹部分３ｅと後背部分３ｆとが共に広幅Ｗ２の偏平状砂時計型に成形されているものを説明したが、その形状は砂時計型に限定されず、例えば前腹部分３ｅのみ、あるいは後背部分３ｆのみが広幅Ｗ２の羽子板型に形成されたものであってもよい。
【００３３】
また、上記実施形態における吸収性本体３は、通常のフラットタイプのものに限られるものではなく、例えば、中央部分が窪んだ形状とすれば、着用者の体型や動きに合わせて効果的に縒れて、排泄器官と吸収性本体３との間に隙間が生じにくくなる。また、この窪み部の周囲を取り囲む壁は、防漏堤となるために排尿等は防漏堤で堰き止められ吸収されるので、横漏れや前後方回の漏れを効果的に防止することができる。さらに、通常のフラットタイプの吸収性本体３が縒れた場合に形成される大きな凹凸状態が形成されにくいので、着用者にごわごわ感を与えにくくなる。
【００３４】
上記吸収性本体３は、フラット状の下層吸収体と、中心に欠損部を形成した上層吸収体との二層構造で構成することができ、この場合には、各層で吸収材成分や他成分の分布や成分配合を調整することができる。例えば、上層吸収体の欠損部を取り囲む部位（これが防漏堤となる）に密度高く高吸水性ポリマー粒子を存在させることによって、排尿等は防漏堤で堰き止められて、すぐさま高吸水性ポリマーに吸収されることとなり、横漏れや前後方向での漏れをより効果的に防止することができる。
【００３５】
【発明の効果】
以上の説明からも明らかなように、本発明は、吸収性本体の狭幅の股部分の両側には立ち上がりフラップが有るから、この股部分からの横漏れが防止できるとともに、吸収性本体の広幅の前腹部分と後背部分の少なくとも一方には立ち上がりフラップが全く無いものの、この立ち上がりフラップの前端部分および／または後端部分は前腹部分と後背部分の少なくとも一方の裏面側に伏せて潜り込ませた状態にあって、前腹部分と後背部分の少なくとも一方の表面側は撥水性の立ち上がりフラップで覆われていないので、吸収性能が充分に維持できて横漏れを有効に防止できるようになる。
【００３６】
また、外装シートを通気・撥水性を有する不織布シートで構成すると（請求項２）、漏れを防止しつつ蒸れ感が減少するようになる。
【図面の簡単な説明】
【図１】  使い捨ておむつの展開状態の正面図である。
【図２】  使い捨ておむつの使用状態の正面図である。
【図３】  使い捨ておむつであり、（ａ）は図１のＸ−Ｘ線に相当する断面図、（ｂ）は図１のＹ−Ｙ線に相当する断面図である。
【図４】  使い捨ておむつの分解斜視図である。
【符号の説明】
１    使い捨ておむつ（吸収性物品）
２    外装シート
３    吸収性本体
３ｅ  前腹部分
３ｆ  後背部分
４    立ち上がりフラップ
４ａ  基端部
４ｂ  自由端部
４ｃ  前端部分
４ｄ  後端部分
８    弾性部材
Ｐ    前腹部
Ｑ    後背部
Ｒ    股部
Ｓ    レッグ開口部
Ｗ１  狭幅
Ｗ２  広幅
【図１】
0003737418.tif 000002
【図２】
0003737418.tif 000003
【図３】
0003737418.tif 000004
【図４】
0003737418.tif 000005